Podtech/llm-jp-corpus-v4-ja_patent huggingface dataset:
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
医薬として許容できる担体、及び中位から重篤までのドライアイを治療するのに有効な量の(11β,17α)-17-[(エトキシカルボニル)オキシ]-11-ヒドロキシ-3-オキソアンドロスタ-1,4-ジエン-17-カルボン酸クロロメチルエステルを含んでなる、中位から重篤までのドライアイの治療のための医薬組成物。
【請求項２】
(11β,17α)-17-[(エトキシカルボニル)オキシ]-11-ヒドロキシ-3-オキソアンドロスタ-1,4-ジエン-17-カルボン酸クロロメチルエステルの医薬として有効な量が0.001-5.0%(W/W)である、請求項１に記載の医薬組成物。
【請求項３】
(11β,17α)-17-[(エトキシカルボニル)オキシ]-11-ヒドロキシ-3-オキソアンドロスタ-1,4-ジエン-17-カルボン酸クロロメチルエステルの医薬として有効な量が0.001-1.0%(W/W)である、請求項２に記載の医薬組成物。
【請求項４】
中位から重篤までのドライアイが屈折矯正手術に関連している、請求項１に記載の医薬組成物。
【請求項５】
眼科用懸濁剤である、請求項１に記載の医薬組成物。
【請求項６】
該眼科用懸濁剤が、ポビドン、塩化ベンザルコニウム、二ナトリウムEDTA、グリセリン、チロキサポール及び水を含む医薬担体中に、0.5重量%のロテプレドノールエタボネートを含有している、請求項５に記載の医薬組成物。
【請求項７】
ゲルである、請求項１に記載の医薬組成物。
【請求項８】
該ゲルが、アクリル酸ベースのポリマー、水、プロピレングリコール、EDTA及びロテプレドノールエタボネートを含有している、請求項７に記載の医薬組成物。
【請求項９】
該ゲルがさらにトリアセチンを含有する、請求項８に記載の医薬組成物。
【請求項１０】
製剤が、アクリル酸ベースのポリマー、水、プロピレングリコール、グリセリン、EDTA、塩化ベンザルコニウム及びロテプレドノールエタボネートを含有している、請求項８に記載の医薬組成物。
【請求項１１】
ロテプレドノールエタボネートを含有している中位から重篤までのドライアイを治療するのに適切な眼科用ゲル製剤。
【請求項１２】
水、アクリル酸ベースのポリマー、プロピレングリコール、EDTA、トリアセチン及び塩化ベンザルコニウムからなる群から選択される少なくとも一つの成分をさらに含有する、請求項１１に記載の製剤。
【請求項１３】
製薬上許容できる容器中に入れたロテプレドノールエタボネートを含む医薬製剤、
中位から重篤までのドライアイを治療するための薬剤使用方法を指示する添付書類、及び
中に入っている医薬製剤を識別する外側包装材料
を含んでなる中位から重篤までのドライアイの治療用キット。
【請求項１４】
製薬上許容できる容器が、包装物中に入っている製剤を使用者が一回使用するのに適している、請求項１３に記載のキット。
【請求項１５】
外側包装材料内に、ロテプレドノールエタボネートの医薬製剤が入っている少なくとも一つの製薬上許容できる容器が入っている、請求項１３に記載のキット。
【請求項１６】
治療量のロテプレドノールエタボネートを医薬として許容できる担体中に含有する、ドライアイに関連する結膜発赤を軽減するための医薬組成物。
【請求項１７】
治療量のロテプレドノールエタボネートを医薬として許容できる担体中に含有する、上皮細胞の催炎性サイトカイン産生量を減少させるための医薬組成物。
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
ヌクレオシド系ＨＩＶ逆転写酵素阻害剤、非ヌクレオシド系ＨＩＶ逆転写酵素阻害剤、ＨＩＶプロテアーゼ阻害剤、ＨＩＶ融合阻害剤、ＨＩＶ接着阻害剤、ＣＣＲ５阻害剤、ＣＸＣＲ４阻害剤、ＨＩＶ出芽または成熟阻害剤、およびＨＩＶインテグラーゼ阻害剤からなる群から選択されるＡＩＤＳまたはＨＩＶ感染の治療のために使用される少なくとも一つの薬剤と、１−ベンゾイル−４−［２−［４−メトキシ−７−（３−メチル−１Ｈ−１，２，４−トリアゾール−１−イル）−１Ｈ−ピロロ［２，３−ｃ］ピリジン−３−イル］−１，２−ジオキソエチル］ピペラジン、またはその医薬的に許容される塩もしくはその溶媒和物を含む、ＨＩＶ感染の治療用組合せ医薬。
【請求項２】
該薬剤が、ヌクレオシド系ＨＩＶ逆転写酵素阻害剤である、請求項１の組合せ医薬。
【請求項３】
該ヌクレオシド系ＨＩＶ逆転写酵素阻害剤が、アバカビル、ジダノシン、エムトリシタビン、ラミブジン、スタブジン、テノホビル、ザルシタビンおよびジドブジン、またはその医薬的に許容される塩もしくはその溶媒和物からなる群から選択される、請求項２の組合せ医薬。
【請求項４】
該薬剤が、非ヌクレオシド系ＨＩＶ逆転写酵素阻害剤である、請求項１の組合せ医薬。
【請求項５】
該非ヌクレオシド系ＨＩＶ逆転写酵素阻害剤が、デラビルジン、エファビレンツ、およびネビラピン、またはその医薬的に許容される塩もしくはその溶媒和物からなる群から選択される、請求項４の組合せ医薬。
【請求項６】
該薬剤が、ＨＩＶプロテアーゼ阻害剤である、請求項１の組合せ医薬。
【請求項７】
該ＨＩＶプロテアーゼ阻害剤が、アンプレナビル、アタザナビル、インジナビル、ロピナビル、ネルフィナビル、リトナビル、サキナビルおよびホスアンプレナビル、またはその医薬的に許容される塩もしくはその溶媒和物からなる群から選択される、請求項６の組合せ医薬。
【請求項８】
該薬剤が、ＨＩＶ融合阻害剤である、請求項１の組合せ医薬。
【請求項９】
該ＨＩＶ融合阻害剤が、エンフュービルタイドまたはＴ１２４９、もしくはその医薬的に許容される塩あるいはその溶媒和物である、請求項８の組合せ医薬。
【請求項１０】
該薬剤が、ＨＩＶ接着阻害剤である、請求項１の組合せ医薬。
【請求項１１】
該薬剤が、ＣＣＲ５阻害剤である、請求項１の組合せ医薬。
【請求項１２】
該ＣＣＲ５阻害剤が、Ｓｃｈ−Ｃ、Ｓｃｈ−Ｄ、ＴＡＫ−２２０、ＰＲＯ−１４０およびＵＫ−４２７８５７、またはその医薬的に許容される塩もしくはその溶媒和物からなる群から選択される、請求項１１の組合せ医薬。
【請求項１３】
該薬剤が、ＣＸＣＲ４阻害剤である、請求項１の組合せ医薬。
【請求項１４】
該ＣＸＣＲ４阻害剤が、ＡＭＤ−３１００、またはその医薬的に許容される塩もしくはその溶媒和物である、請求項１３の組合せ医薬。
【請求項１５】
該薬剤が、ＨＩＶ出芽または成熟阻害剤である、請求項１の組合せ医薬。
【請求項１６】
該出芽または成熟阻害剤が、ＰＡ−４５７、またはその医薬的に許容される塩もしくはその溶媒和物である、請求項１５の組合せ医薬。
【請求項１７】
該薬剤が、ＨＩＶインテグラーゼ阻害剤である、請求項１の組合せ医薬。
【請求項１８】
該ＨＩＶインテグラーゼ阻害剤が、３−［（４−フルオロベンジル）メトキシカルバモイル］−２−ヒドロキシアクリル酸または２−（２，２）−ジメチル−５−オキソ−［１，３］−ジオキソラン−４−イリデン）−Ｎ−（４−フルオロベンジル）−Ｎ−メトキシアセトアミド、またはその医薬的に許容される塩もしくはその溶媒和物である、請求項１７の組合せ医薬。
【請求項１９】
ヌクレオシド系ＨＩＶ逆転写酵素阻害剤、非ヌクレオシド系ＨＩＶ逆転写酵素阻害剤、ＨＩＶプロテアーゼ阻害剤、ＨＩＶ融合阻害剤、ＨＩＶ接着阻害剤、ＣＣＲ５阻害剤、ＣＸＣＲ４阻害剤、ＨＩＶ出芽または成熟阻害剤、およびＨＩＶインテグラーゼ阻害剤からなる群から選択されるＡＩＤＳまたはＨＩＶ感染治療のために使用される少なくとも一つの他の薬剤と一緒に、治療上の有効量の１−ベンゾイル−４−［２−［４−メトキシ−７−（３−メチル−１Ｈ−１，２，４−トリアゾール−１−イル）−１Ｈ−ピロロ［２，３−ｃ］ピリジン−３−イル］−１，２−ジオキソエチル］ピペラジン、またはその医薬的に許容される塩もしくはその溶媒和物、ならびにその医薬的に許容される担体を含む医薬組成物。
【請求項２０】
該薬剤が、ヌクレオシド系ＨＩＶ逆転写酵素阻害剤である、請求項１９の組成物。
【請求項２１】
該ヌクレオシドＨＩＶ転写酵素阻害剤が、アバカビル、ジダノシン、エムトリシタビン、ラミブジン、スタブジン、テノホビル、ザルシタビン、およびジドブジン、またはその医薬的に許容される塩もしくはその溶媒和物からなる群から選択される、請求項２０の組成物。
【請求項２２】
該薬剤が、非ヌクレオシド系ＨＩＶ逆転写酵素阻害剤である、請求項１９の組成物。
【請求項２３】
非ヌクレオシド系ＨＩＶ逆転写酵素阻害剤が、デラビルジン、エファビレンツ、およびネビラピン、またはその医薬的に許容される塩もしくはその溶媒和物からなる群から選択される、請求項２２の組成物。
【請求項２４】
該薬剤が、ＨＩＶプロテアーゼ阻害剤である、請求項１９の組成物。
【請求項２５】
該ＨＩＶプロテアーゼ阻害剤が、アンプレナビル、アタザナビル、インジナビル、ロピナビル、ネルフィナビル、リトナビル、サキナビルおよびホスアンプレナビル、またはその医薬的に許容される塩もしくはその溶媒和物からなる群から選択される、請求項２４の組成物。
【請求項２６】
該薬剤が、ＨＩＶ融合阻害剤である、請求項１９の組成物。
【請求項２７】
該ＨＩＶ融合阻害剤が、エンフュービルタイドまたはＴ−１２４９、またはその医薬的に許容される塩もしくはその溶媒和物である、請求項２６の組成物。
【請求項２８】
該薬剤が、ＨＩＶ接着阻害剤である、請求項１９の組成物。
【請求項２９】
該薬剤が、ＣＣＲ５阻害剤である、請求項１９の組成物。
【請求項３０】
該ＣＣＲ５阻害剤が、Ｓｃｈ−Ｃ、Ｓｃｈ−Ｄ、ＴＡＫ−２２０、ＰＲＯ−１４０、およびＵＫ−４２７８５７、またはその医薬的に許容される塩もしくその溶媒和物からなる群から選択される、請求項２９の組成物。
【請求項３１】
該薬剤が、ＣＸＣＲ４阻害剤である、請求項１９の組成物。
【請求項３２】
該ＣＸＣＲ４阻害剤が、ＡＭＤ−３１００、またはその医薬的に許容される塩もしくはその溶媒和物である、請求項３１の組成物。
【請求項３３】
該薬剤が、ＨＩＶ出芽または成熟阻害剤である、請求項１９の組成物。
【請求項３４】
該出芽または成熟阻害剤が、ＰＡ−４５７、またはその医薬的に許容される塩もしくはその溶媒和物である、請求項３３の組成物。
【請求項３５】
該薬剤が、ＨＩＶインテグラーゼ阻害剤である、請求項１９の組成物。
【請求項３６】
該ＨＩＶインテグラーゼ阻害剤が、３−［（４−フルオロベンジル）メトキシカルバモイル］−２−ヒドロキシアクリル酸または２−（２，２）−ジメチル−５−オキソ−［１，３］−ジオキソラン−４−イリデン）−Ｎ−（４−フルオロベンジル）−Ｎ−メトキシアセトアミド、またはその医薬的に許容される塩である、請求項３５の組成物。
【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
フェノール流からアセトール及びメチルベンゾフランを除去する方法であって、
約８５℃以下の温度においてアセトール及びメチルベンゾフランを含むフェノール流を第１の酸性樹脂と接触させて、アセトールをメチルベンゾフラン以外の高沸点化合物に変換する前記接触させる工程と、
前記フェノール流を蒸留して前記高沸点化合物からメチルベンゾフランを含むフェノールを分離する前記蒸留する工程と、
前記メチルベンゾフランを含むフェノールを高温にて第２の酸性樹脂と接触させて、蒸留によりフェノールから分離可能な化合物にメチルベンゾフランを変換する、前記接触させる工程と
を有する方法。
【請求項２】
請求項１の方法において、前記フェノールはフラッシュ蒸留によって前記高沸点化合物から分離されるものである。
【請求項３】
請求項１の方法において、前記酸性樹脂は固定床におけるものである。
【請求項４】
請求項３の方法において、前記フェノール流は、１時間あたり約１〜約１床容量の速度で前記酸性樹脂と接触させるものである。
【手続補正２】
【補正対象書類名】明細書
【補正対象項目名】０００９
【補正方法】変更
【補正の内容】
【０００９】
ＭＢＦが多量に形成されるためにフェノールの収率に対して悪影響を与えることがなく、フェノール流からアセトールを除去するための効果的かつ低費用な方法の必要性が残されている。
この出願の発明に関連する先行技術文献情報としては、以下のものがある（国際出願日以降国際段階で引用された文献及び他国に国内移行した際に引用された文献を含む）。
【特許文献１】米国特許第２，９１０，５１１号明細書
【特許文献２】米国特許第２，９７１，８９３号明細書
【特許文献３】米国特許第２，９９２，１６９号明細書
【特許文献４】米国特許第３，０８７，９６９号明細書
【特許文献５】米国特許第３，３３５，０７０号明細書
【特許文献６】米国特許第３，４５４，６５３号明細書
【特許文献７】米国特許第３，８１０，９４６号明細書
【特許文献８】米国特許第４，２９８，７６５号明細書
【特許文献９】米国特許第４，８５７，１５１号明細書
【特許文献１０】米国特許第５，４１４，１５４号明細書
【特許文献１１】米国特許第６，０６６，７６７号明細書
【特許文献１２】米国特許第６，３４６，６４５号明細書
【特許文献１３】米国特許第６，４８６，３６５号明細書
【特許文献１４】米国特許第６，４８９，５１９号明細書
【特許文献１５】米国特許第６，５７３，４０８号明細書
【特許文献１６】米国特許第６，５７６，７９８号明細書
【特許文献１７】米国特許第６，６３５，７８９号明細書
【特許文献１８】米国特許出願公開第２００４／０１５８１０５号明細書
【特許文献１９】米国特許出願公開第２００４／０１５８１０６号明細書
【特許文献２０】欧州特許第０００４１６８号明細書
【特許文献２１】欧州特許第０１９０７９０号明細書
【特許文献２２】欧州特許第０５６８８１７号明細書
【特許文献２３】英国特許第８６５６７７号明細書
【特許文献２４】英国特許第９２０９０５号明細書
【特許文献２５】英国特許第１１０８３２７号明細書
【特許文献２６】英国特許第１１７１８５４号明細書
【特許文献２７】英国特許第１２３１９９１号明細書
【特許文献２８】国際公開第０４／０７２００８号パンフレット
【非特許文献１】英国学士院科学特殊出版（Ｓｐｅｃｉａｌ  Ｐｕｂｌｉｃａｔｉｏｎ−Ｒｏｙａｌ  Ｓｏｃｉｅｔｙ  ｏｆ  Ｃｈｅｍｉｓｔｒｙ），第１８２巻（イオン交換の開発と用途）（Ｉｏｎ  Ｅｘｃｈａｎｇｅ  Ｄｅｖｅｌｏｐｍｅｎｔｓ  ａｎｄ  Ａｐｐｌｉｃａｔｉｏｎｓ），１９９６年，ｐ．５２４−５２９
【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
式ＩＩの化合物、またはそれらの薬学的に受容可能な塩：
【化２】
2007530595.tif 000001
ここで：
各Ｒｙは、別個に、必要に応じて置換したＣ１〜６脂肪族基、Ａｒ、ＣＮ、ＮＯ２、ハロゲン、Ｎ（Ｒ）２、ＳＲ、またはＯＲから選択されるが、但し、２個のＲｙ基は、同時にＡｒにはならない；
Ｒｚは、Ｒ、Ｃ（Ｏ）Ｒ、Ｃ（Ｏ）ＯＲまたはＳＯ２Ｒである；
Ｚ１は、ＮまたはＣ−Ｔ（ｍ）Ｒ１である；
Ｔは、原子価結合またはＣ１〜６アルキリデン鎖である；
ｍは、０または１である；
Ｒ１は、ＣＮ、ハロゲン、ＯＲ３、ＳＲ３、Ｎ（Ｒ）Ｒ３またはＲ４から選択される；
Ｑは、−Ｃ（Ｏ）Ｎ（Ｒ）−、または−Ｃ（Ｏ）Ｏ−である；
Ｒ２は、ハロゲン、ＣＮ、（ＣＨ２）ｙＲ５、（ＣＨ２）ｙＣＨ（Ｒ５）２、（ＣＨ２）ｙＣＨ（Ｒ６）ＣＨ（Ｒ５）２、（ＣＨ２）ｙＮ（Ｒ４）２またはＮ（Ｒ４）（ＣＨ２）ｙＮ（Ｒ４）２から選択される；
各Ｒ３は、別個に、ＲまたはＡｒから選択される；
各ｙは、別個に、０〜６である；
各Ａｒは、別個に、必要に応じて置換した３員〜７員の飽和、部分不飽和または完全不飽和単環式環または必要に応じて置換した８員〜１０員の飽和、部分不飽和または完全不飽和二環式環から選択され、該単環式環は、０個〜４個のヘテロ原子を有し、該ヘテロ原子は、別個に、窒素、酸素またはイオウから選択され、そして該二環式環は、０個〜４個のヘテロ原子を有し、該ヘテロ原子は、別個に、窒素、酸素またはイオウから選択される；
各Ｒは、別個に、水素または必要に応じて置換したＣ１〜６脂肪族基から選択されるか、または：
同じ窒素原子上の２個のＲは、そこに結合した窒素原子と一緒になって、４員〜８員の飽和、部分不飽和または完全不飽和環を形成し、該環は、１個〜４個のヘテロ原子を有し、該ヘテロ原子は、別個に、窒素、酸素またはイオウから選択される；
各Ｒ４は、別個に、Ｒ３、Ｃ（Ｏ）Ｒ３、Ｃ（Ｏ）２Ｒ３、ＣＯＮ（Ｒ３）２、ＳＯ２Ｒ３から選択される；
各Ｒ５は、別個に、Ｒ３、ＯＲ３、ＣＯ２Ｒ３、（ＣＨ２）ｙＮ（Ｒ４）２、Ｎ（Ｒ４）２、Ｎ（Ｒ）Ｃ（Ｏ）Ｒ３、Ｎ（Ｒ）ＣＯＮ（Ｒ３）２、ＣＯＮ（Ｒ３）２、ＳＯ２Ｒ３、Ｎ（Ｒ）ＳＯ２Ｒ３、Ｃ（Ｏ）Ｒ３、ＣＮ、またはＳＯ２Ｎ（Ｒ３）２から選択される；
Ｒ６は、Ｒ３、（ＣＨ２）ｗＯＲ３、（ＣＨ２）ｗＮ（Ｒ４）２、または（ＣＨ２）ｗＳＲ３から選択される；そして
各ｗは、別個に、０〜４から選択される、
化合物。
【請求項２】
Ｚ１が、Ｃ−Ｔ（ｍ）Ｒ１である、請求項１に記載の化合物。
【請求項３】
Ｒ１が、水素、Ｎ（Ｒ）Ｒ３、ＯＲ３、３員〜６員カルボシクリル、または必要に応じて置換した基から選択され、該必要に応じて置換した基が、Ｃ１〜６脂肪族または５員〜６員アリール環から選択され、該環が、０個〜４個のヘテロ原子を有し、該ヘテロ原子が、別個に、窒素、酸素またはイオウから選択される、請求項２に記載の化合物。
【請求項４】
Ｔが、原子価結合である、請求項２に記載の化合物。
【請求項５】
Ｔが、−ＣＨ２−である、請求項２に記載の化合物。
【請求項６】
Ｚ１が、Ｎである、請求項１に記載の化合物。
【請求項７】
Ｒ２が、（ＣＨ２）ｙＲ５、（ＣＨ２）ｙＣＨ（Ｒ５）２、（ＣＨ２）ｙＣＨ（Ｒ６）ＣＨ（Ｒ５）２または（ＣＨ２）ｙＮ（Ｒ４）２から選択される、請求項１に記載の化合物。
【請求項８】
各Ｒ５が、別個に、必要に応じて置換した５員〜６員飽和、部分不飽和または完全不飽和環、または必要に応じて置換した９員〜１０員飽和、部分不飽和または完全不飽和環から選択され、該５員〜６員飽和、部分不飽和または完全不飽和環が、０個〜４個のヘテロ原子を有し、該ヘテロ原子が、別個に、窒素、酸素またはイオウから選択され、そして該９員〜１０員飽和、部分不飽和または完全不飽和環が、０個〜４個のヘテロ原子を有し、該ヘテロ原子が、別個に、窒素、酸素またはイオウから選択される、請求項７に記載の化合物。
【請求項９】
各Ｒ５が、別個に、Ｒ３、ＯＲ３、ＣＯ２Ｒ３、（ＣＨ２）Ｎ（Ｒ４）２またはＣＮから選択される、請求項７に記載の化合物。
【請求項１０】
前記化合物が、式ＩＩＩの化合物、またはそれらの薬学的に受容可能な塩である、請求項１に記載の化合物：
【化３】
2007530595.tif 000002
【請求項１１】
前記化合物が、式ＩＶの化合物、またはそれらの薬学的に受容可能な塩である、請求項１に記載の化合物：
【化４】
2007530595.tif 000003
【請求項１２】
以下からなる群から選択される請求項１に記載の、化合物：
【化５】
2007530595.tif 000004
【化６】
2007530595.tif 000005
【化７】
2007530595.tif 000006
【化８】
2007530595.tif 000007
【請求項１３】
請求項１に記載の化合物と、薬学的に受容可能なキャリア、アジュバントまたはビヒクルとを含有する、組成物。
【請求項１４】
前記組成物が、ＥＲＫ２またはＲＯＣＫプロテインキナーゼ活性を測定可能に阻害するのに十分な量で、前記化合物を含有する、請求項１３に記載の組成物。
【請求項１５】
さらに、治療薬を含有し、該治療薬が、化学療法薬または抗増殖薬、抗炎症薬、免疫調節薬または免疫抑制薬、神経障害を処置する薬剤、循環器病を処置する薬剤、破壊性骨障害を処置する薬剤、肝臓病を処置する薬剤、抗ウイルス薬、血液疾患を処置する薬剤、糖尿病を処置する薬剤、または免疫不全障害を処置する薬剤から選択される、請求項１３に記載の組成物。
【請求項１６】
細胞培養物またはその抽出物、哺乳動物から得られた生検材料またはその抽出物、唾液、尿、糞便、精液、または涙液から選択される生体試料において、ＥＲＫ２またはＲＯＣＫプロテインキナーゼ活性を阻害する方法であって、該方法は、該生体試料を、以下のａ）またはｂ）と接触させる工程を包含する：
ａ）請求項１３に記載の組成物；または
ｂ）請求項１に記載の化合物。
【請求項１７】
以下から選択される癌を処置するかその重篤度を軽減するための、請求項１３に記載の薬学的組成物：乳房；卵巣；子宮頚管；前立腺；精巣、尿生殖器路；食道；喉頭、グリア芽細胞腫；神経芽細胞腫；胃；皮膚、ケラトアカントーマ；肺、類表皮癌腫、大細胞癌、小細胞癌、肺腺癌；骨；大腸、腺腫；膵臓、腺癌；甲状腺、濾胞性癌腫、未分化癌、乳頭癌；精上皮腫；黒色腫；肉腫；膀胱癌腫；肝臓癌腫および胆管路；腎臓癌腫；骨髄性障害；リンパ球障害、ホジキン有毛細胞；頬側口腔および咽頭（経口）、唇、舌、口、咽頭；小腸；大腸−直腸、大腸、直腸；脳および中枢神経系；または白血病。
【請求項１８】
前記癌が、黒色腫、乳癌、大腸癌または膵臓癌から選択される、請求項１７に記載の組成物。
【請求項１９】
移植可能装置を被覆する組成物であって、請求項１に記載の化合物と、該移植可能装置を被覆するのに適当にキャリアとを含有する、組成物。
【請求項２０】
請求項１９に記載の組成物で被覆されている、移植可能装置。
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
キシリトールを製造する方法であって：
ａ．ウロン酸化合物を脱炭酸して、キシリトール中間体を製造する工程と；
ｂ．該キシリトール中間体を水素化して、キシリトールを製造する工程と
を含む方法。
【請求項２】
前記ウロン酸がフラノース環またはピラノース環を含む、請求項１に記載の方法。
【請求項３】
キシリトールを製造する方法であって：
ａ．Ｄ−グルクロン酸をＬ−グロン酸に還元する工程と；
ｂ．Ｌ−グロン酸の塩を脱炭酸してＬ−キシロースを製造する工程と；
ｃ．このＬ−キシロースを水素化して、キシリトールを製造する工程と
を含む方法。
【請求項４】
更に、Ｌ−グロン酸の脱炭酸を、銅を含有する試薬を用いて行う、請求項３に記載の方法。
【請求項５】
更に、残留するＬ−グロネートをリサイクルする工程を含む、請求項３に記載の方法。
【請求項６】
キシリトールを製造する方法であって：
ａ．Ｄ−グルクロン酸化合物を加水分解する工程と；
ｂ．Ｄ−グルクロン酸化合物の塩を脱炭酸して、ジアルデヒドキシリトール中間体を製造する工程と；
ｃ．水素化触媒の存在下に該キシリトール中間体を水素化して、キシリトールを製造する工程と
を含む方法。
【請求項７】
更に、前記キシリトール中間体を未反応のＤ−グルクロン酸化合物から分離する工程を含む、請求項６に記載の方法。
【請求項８】
キシリトールを製造する方法であって：
ａ．Ｄ−グルコピラノシル含有材料を準備する工程と；
ｂ．該Ｄ−グルコピラノシル含有材料を酸化して、Ｄ−グルクロノピラノシル部分を含んでなる第一の前駆体材料を形成する工程と；
ｃ．該第一の前駆体材料を加水分解して、Ｄ−グルクロン酸を含んでなる第二の前駆体材料を形成する工程と；
ｄ．該第二の前駆体材料を還元および水素化して、Ｌ−グロン酸を含んでなる反応体基質を形成する工程と；
ｅ．Ｌ−グロン酸を含んでなる該反応体基質を酸化的に脱炭酸して、キシリトール中間体を製造する工程と；
ｆ．該キシリトール中間体を還元および水素化して、キシリトールを製造する工程と
を含む方法。
【請求項９】
キシリトールを製造する方法であって：
ａ．Ｄ−グルコピラノシル含有材料を準備する工程と；
ｂ．該Ｄ−グルコピラノシル含有材料を酸化して、Ｄ−グルクロノピラノシル部分を含んでなる前駆体材料を形成する工程と；
ｃ．Ｄ−グルクロノピラノシル部分を含んだ前駆体材料を加水分解して、Ｄ−グルクロン酸を含んでなる反応体基質を形成する工程と；
ｄ．Ｄ−グルクロン酸を含んでなる該反応体基質を酸化的に脱炭酸して、キシリトール中間体を製造する工程と；
ｅ．該キシリトール中間体を還元および水素化して、キシリトールを製造する工程と
を含む方法。
【請求項１０】
キシリトールを製造する方法であって：
ａ．環酸素位置において非置換であるＤ−フルクツロノフラノシル含有材料を準備する工程と；
ｂ．該Ｄ−フルクツロノフラノシル含有材料を酸化して、Ｄ−フルクツロノフラノシル部分を含んでなる前駆体材料を形成する工程と；
ｃ．Ｄ−フルクツロノフラノシル部分を含んだ該前駆体材料を加水分解する工程と；
ｄ．Ｄ−フルクツロノフラノシル部分を含んだ前駆体材料を酸化的に脱炭酸して、キシリトールを製造する工程と
を含む方法。
【請求項１１】
キシリトールを製造する方法であって：
ａ．Ｄ−グルクロン酸化合物を電気化学的に脱炭酸して、キシリトール中間体を製造する工程と；
ｂ．該キシリトール中間体を触媒の存在下で水素化して、キシリトールを製造する工程と
を含む方法。
【請求項１２】
更に、前記キシリトール中間体を未反応のＤ−グルクロン酸化合物から分離する工程を含む、請求項１１に記載の方法。
【請求項１３】
更に、未反応のＤ−グルクロン酸化合物をリサイクルする工程と、該未反応のＤ−グルクロン酸化合物を電気化学的に脱炭酸する工程とを含む、請求項１１に記載の方法。
【請求項１４】
キシリトールを製造する方法であって：
ａ．ウロン酸化合物を電気化学的に脱炭酸して、ジカルボニルキシリトール中間体を製造する工程と；
ｂ．前記ジカルボニルキシリトール中間体を触媒の存在下で水素化して、キシリトールおよびＤ−アラビニトールの混合物を製造する工程と
を含む方法。
【請求項１５】
更に、前記キシリトール中間体を未反応のウロン酸化合物から分離する工程を含む、請求項１４に記載の方法。
【請求項１６】
更に、残留する前記ウロン酸化合物をリサイクルする工程を含む、請求項１５に記載の方法。
【請求項１７】
キシリトールを製造する方法であって：
ａ．Ｌ−グロン酸の塩を電気化学的に脱炭酸して、Ｌ−キシロースを製造する工程と；
ｂ．該Ｌ−キシロースを触媒の存在下で水素化して、キシリトールを製造する工程と
を含む方法。
【請求項１８】
更に、前記Ｌ−キシロースを未反応のＬ−グロン酸塩から分離する工程を含む、請求項１７に記載の方法。
【請求項１９】
更に、何れかの未反応のＬ−グロン酸塩をリサイクルする工程を含む、請求項１７に記載の方法。
【請求項２０】
前記ウロン酸塩が、水、メタノール、エタノール、ジオキサン、およびアセトニトリルからなる群から選択される水混和性溶媒の中に溶解される、請求項１に記載の方法。
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
１０ｍｇ／ｋｇより多い量のヒト抗ＣＴＬＡ−４抗体を含む、哺乳動物における癌の治療用医薬。
【請求項２】
少なくとも１５ｍｇ／ｋｇのヒト抗ＣＴＬＡ−４抗体を含む、請求項１に記載の医薬。
【請求項３】
１５ｍｇ／ｋｇのヒト抗ＣＴＬＡ−４抗体を含む、請求項１に記載の医薬。
【請求項４】
癌は、乳癌、例えば転移性乳癌、肺癌、例えば小細胞肺癌、骨癌、膵臓癌、皮膚癌、頭頚部癌、黒色腫、例えば皮膚または眼球内の悪性黒色腫、子宮癌、卵巣癌、直腸癌、肛門領域の癌、胃癌、結腸癌、精巣癌、子宮癌、ファロピウス管の癌腫、子宮内膜の癌腫、子宮頚の癌腫、膣の癌腫、陰門の癌腫、ホジキン病、非ホジキンリンパ腫、食道癌、小腸癌、内分泌系の癌、甲状腺癌、副甲状腺癌、副腎癌、軟部組織肉腫、尿道癌、陰茎癌、前立腺癌、慢性または急性白血病、例えば急性骨髄性白血病、慢性骨髄性白血病、急性リンパ芽球性白血病、慢性リンパ性白血病、小児の充実性腫瘍、リンパ球性リンパ腫、皮膚Ｔ細胞性リンパ腫、膀胱癌、腎臓または尿道癌、腎細胞癌、腎盂癌、中枢神経系（ＣＮＳ）の新生物、原発性ＣＮＳリンパ腫、腫瘍血管新生、脊髄軸の腫瘍、脳幹グリオーマ、下垂体腺腫、カポジ肉腫、類表皮癌、扁平上皮癌、Ｔ細胞リンパ腫、環境により誘導された癌、例えばアスベストにより誘導された癌、骨髄腫、神経芽細胞腫、および、小児肉腫からなる群より選択される、請求項１に記載の医薬。
【請求項５】
ヒト抗ＣＴＬＡ−４抗体は、抗体４.１.１、抗体４.１３.１、抗体４.１４.３、抗体６.１.１、および、抗体１１.２.１のアミノ酸配列を有する抗体からなる群より選択される抗体である、請求項１〜４のいずれか一項に記載の医薬。
【請求項６】
ヒト抗ＣＴＬＡ−４抗体は、抗体１０Ｄ１のアミノ酸配列を有する、請求項１〜４のいずれか一項に記載の医薬。
【請求項７】
ヒト抗ＣＴＬＡ−４抗体は、抗体４.１.１、抗体４.１３.１、抗体４.１４.３、抗体６.１.１、および、抗体１１.２.１からなる群より選択される抗体の重鎖および軽鎖のＣＤ
Ｒのアミノ酸配列を有する、請求項１〜４のいずれか一項に記載の医薬。
【請求項８】
ヒト抗ＣＴＬＡ−４抗体は、抗体４.１.１、抗体４.１３.１、抗体４.１４.３、抗体６.１.１、および、抗体１１.２.１からなる群より選択される抗体の重鎖および軽鎖の可変領域のアミノ酸配列を有する、請求項１〜４のいずれか一項に記載の医薬。
【請求項９】
ヒト抗ＣＴＬＡ−４抗体は、抗体４.１.１、抗体４.１３.１、抗体４.１４.３、抗体６.１.１、および、抗体１１.２.１からなる群より選択される抗体と交差競合する、請求項１〜４のいずれか一項に記載の医薬。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
必要のある哺乳類における高密度リポタンパク質（ＨＤＬ）粒子を上昇させるための、セリンパルミトイルトランスフェラーゼ（ＳＰＴ）阻害剤を含む医薬組成物。
【請求項２】
必要のある哺乳類における超低密度リポタンパク質（ＶＬＤＬ）粒子および低密度リポタンパク質（ＬＤＬ）粒子を低下させるための、セリンパルミトイルトランスフェラーゼ（ＳＰＴ）阻害剤を含む医薬組成物。
【請求項３】
必要のある哺乳類における血漿トリグリセリド粒子を低下させるための、セリンパルミトイルトランスフェラーゼ（ＳＰＴ）阻害剤を含む医薬組成物。
【請求項４】
必要のある哺乳類における血清総コレステロールレベルを低下させるための、セリンパルミトイルトランスフェラーゼ（ＳＰＴ）阻害剤を含む医薬組成物。
【請求項５】
必要のある哺乳類における血漿脂質プロフィールを改善させるための、セリンパルミトイルトランスフェラーゼ（ＳＰＴ）阻害剤を含む医薬組成物。
【請求項６】
必要のある哺乳類におけるプラークサイズを減少させるための、セリンパルミトイルトランスフェラーゼ（ＳＰＴ）阻害剤を含む医薬組成物。
【請求項７】
必要のある哺乳類におけるアテローム性動脈硬化症病変サイズを減少させるための、セリンパルミトイルトランスフェラーゼ（ＳＰＴ）阻害剤を含む医薬組成物。
【請求項８】
必要のある哺乳類における脂質代謝異常、アテローム性動脈硬化症、糖尿病、メタボリック症候群または炎症から選択される疾患または状態の治療のための、セリンパルミトイルトランスフェラーゼ（ＳＰＴ）阻害剤を含む医薬組成物。
【請求項９】
ＳＰＴ阻害剤がミリオシンである先行の請求項1〜8のいずれか１つに記載の医薬組成物。
【請求項１０】
医薬組成物であって、
ａ）セリンパルミトイルトランスフェラーゼ（ＳＰＴ）阻害剤である化合物、および
ｂ）アテローム性動脈硬化症または脂質代謝異常の治療に有用な第２の化合物を含む医薬組成物。
【請求項１１】
キットであって、
ａ）第１の単一剤形におけるセリンパルミトイルトランスフェラーゼ（ＳＰＴ）阻害剤および薬学的に許容できる担体、賦形剤または希釈剤、
ｂ）第２の単一剤形におけるアテローム性動脈硬化症または脂質代謝異常の治療に有用な第２の化合物および薬学的に許容できる担体、賦形剤または希釈剤、および
ｃ）第１および第２の単一剤形を収容する手段を含むキット。
【請求項１２】
請求項１０に記載の組成物または請求項１１に記載のキットであって、前記第２の化合物がＨＭＧ−ＣｏＡレダクターゼ阻害剤、ＨＭＧ−ＣｏＡシンターゼ阻害剤、ＨＭＧ−ＣｏＡレダクターゼ遺伝子発現阻害剤、ＨＭＧ−ＣｏＡシンターゼ遺伝子発現阻害剤、ＣＥＴＰ阻害剤、胆汁酸捕捉剤、コレステロール吸収阻害剤、コレステロール生合成阻害剤、スクアレンシンセターゼ阻害剤、フィブレート、ナイアシン、ナイアシンとロバスタチンの組み合わせ及び抗酸化薬、ならびに第２の単一剤形における薬学的に許容できる担体、賦形剤または希釈剤であり、第１および第２の化合物の量が治療効果をもたらす組成物またはキット。
【請求項１３】
請求項１２に記載の組成物またはキットであって、前記第２の化合物がロバスタチン、シンバスタチン、プラバスタチン、フルバスタチン、アトロバスタチン、リバスタチン、ロスバスタチンまたはピタバスタチンから選択されるＨＭＧ−ＣｏＡレダクターゼ阻害剤である組成物またはキット。
【請求項１４】
請求項１２に記載の組成物またはキットであって、前記第２の化合物がトルセトラピブであるＣＥＴＰ阻害剤である組成物またはキット。
【請求項１５】
請求項１０に記載の組成物または請求項１１に記載のキットであって、前記ＳＰＴ阻害剤がミリオシンである組成物またはキット。
【手続補正書】
【提出日】平成20年5月15日(2008.5.15)
【手続補正１】
【補正対象書類名】特許請求の範囲
【補正対象項目名】請求項１
【補正方法】変更
【補正の内容】
【請求項１】
一般式I：
【化１】
2006517946.tif 000001
〔式中、
R1およびR2は、互いに独立して、水素原子、メチル基、C1-C4アシル基またはベンゾイル基であり、
R3はC1-C5アルキル、C1-C5アルキルオキシ基または基-O-CnFmHoであり、ここでn = 1、2、3、4、5または6であり、m > 1かつm + o = 2n + 1であり、
R6およびR7は、互いに独立して、水素原子、ヒドロキシ基、アミノ基またはNHR8基であり、ここでR8はアセチル基であるか、あるいは
R6およびR7は一緒になってオキシムNOHを形成し、
R13は水素原子またはメチル基であり、
R19は水素原子またはフッ素原子であり、
R20は水素原子、フッ素原子、ヒドロキシ基、C1-C5アルキルオキシ基、C1-C5アルキル基、基-CnFmHo (ここでn = 1、2、3、4、5または6であり、m > 1かつm + o = 2n + 1である) 、または基OSO2NR1R2であり、あるいは
R19およびR20は、一緒になって、酸素原子、メチレン基、ジフルオロメチレン基、モノフルオロメチレン基またはオキシムNOR21を形成し、ここでR21は水素原子またはC1-C5アルキル基である〕
により表わされる2-置換D-ホモエストラ-1,3,5(10)-トリエン-3-イルスルファメートならびにそれらの薬学上許容される塩。
【手続補正２】
【補正対象書類名】明細書
【補正対象項目名】００２５
【補正方法】変更
【補正の内容】
【００２５】
R6およびR7は一緒になってオキシムNOHを形成し、
R13は水素原子またはメチル基であり、
R19は水素原子またはフッ素原子であり、
R20は水素原子、フッ素原子、ヒドロキシ基、C1-C5アルキルオキシ基、C1-C5アルキル基、基-CnFmHo (ここでn = 1、2、3、4、5または6であり、m > 1かつm + o = 2n + 1である) または基OSO2NR1R2であり、あるいは
【手続補正書】
【提出日】平成19年11月21日(2007.11.21)
【手続補正１】
【補正対象書類名】明細書
【補正対象項目名】特許請求の範囲
【補正方法】変更
【補正の内容】
【特許請求の範囲】
【請求項１】  正常な性機能または性機能障害のコントラスト強調診断的画像化のためのシステムであって、以下：
（ａ）被験体に投与するのに適切な造影剤；
（ｂ）該被験体を、該造影剤の意図された用途に対して補完的な診断的医学画像化に供するための手段；
（ｃ）該造影剤に特徴的な画像化シグナルを測定してベースラインを確立するための手段；
（ｄ）該被験体を刺激に供するための手段；および
（ｅ）該造影剤に特徴的な画像化シグナルをモニタリングして、刺激後の性機能を評価するための手段、
を含む、システム。
【請求項２】  前記造影剤が、ＭＲＩ、ＣＴ、超音波、または光学的画像化における血流または血液プールのコントラストを強調する、請求項１に記載のシステム。
【請求項３】  前記造影剤がＭＳ−３２５である、請求項２に記載のシステム。
【請求項４】  性機能障害に対する化合物の治療効果を測定するためのシステムであって、以下：
（ａ）被験体に投与するのに適切な造影剤；
（ｂ）該被験体を、該造影剤の意図された用途に対して補完的な診断的医学画像化に供するための手段；
（ｃ）該造影剤に特徴的な画像化シグナルを測定してベースラインを確立するための手段；
（ｄ）該被験体を、性機能を評価する刺激に供するための手段；
（ｅ）該造影剤に特徴的な画像化シグナルをモニタリングして、刺激後の性機能を評価するための手段；
（ｆ）該性機能に対して治療効果を提供することが予期される有効量の化合物；および
（ｇ）該性機能が処置の結果として強化されたか否かを決定するための手段、
を含む、システム。
【請求項５】  前記造影剤がＭＳ−３２５である、請求項４に記載のシステム。
【請求項６】  前記化合物がバイアグラＴＭである、請求項５に記載のシステム。
【請求項７】  性機能障害を処置する可能性のある化合物をスクリーニングするための方法であって、以下の工程：
（ａ）非ヒト動物または動物に造影剤を投与する工程；
（ｂ）該被験体を、該造影剤の意図された用途に対して補完的な診断的医学画像化に供する工程；
（ｃ）該造影剤に特徴的な画像化シグナルを測定してベースラインを確立する工程；
（ｄ）該被験体を、刺激に供する工程；
（ｅ）該造影剤に特徴的な画像化シグナルをモニタリングして、刺激後の性機能を評価する工程；
（ｆ）試験中の化合物を投与して、該性機能に対して該化合物が効果有するか否かを決定する工程；および
（ｇ）該性機能が該化合物を用いた処置の結果として改変されたか否かを決定する工程、
を包含する、方法。
【請求項８】  前記造影剤がＭＳ−３２５である、請求項７に記載の方法。
【手続補正２】
【補正対象書類名】明細書
【補正対象項目名】００２４
【補正方法】変更
【補正の内容】
【００２４】
【数１】
2003514601.tif 000001
ここで、ｔは時間であり、ＢＶ（ｔ）は、時間ｔでの陰核ＲＯＩ内の相対的血液量であり、
【手続補正３】
【補正対象書類名】明細書
【補正対象項目名】００２５
【補正方法】変更
【補正の内容】
【００２５】
【数２】
2003514601.tif 000002
は、それぞれ、時間ｔおよび造影剤投与直前での陰核ＲＯＩ内のＭＲＩシグナル平均であり、そして
【手続補正４】
【補正対象書類名】明細書
【補正対象項目名】００２６
【補正方法】変更
【補正の内容】
【００２６】
【数３】
2003514601.tif 000003
は、それぞれ、時間ｔおよび造影剤投与直前での参照動脈ＲＯＩ内のＭＲＩシグナル平均である。次いで、このＢＶ（ｔ）データを、以下の曲線に当てはめる：
ＢＶ（ｔ）＝Ｃ１＋Ｃ２・ｔ＋Ｃ３・Ｅ（ｔ）、
ここで、Ｃ１、Ｃ２、およびＣ３は、適切な定数であり、そしてＥ（ｔ）は、性的刺激が存在しない場合には時間（ｔ）について０に等しく、そして性的刺激が適用された場合には１に等しい関数である。Ｃ３／Ｃ１の比率は、刺激に際した相対的な血液量の増加の指標である。統計的試験（例えば、回帰）は、所望される信頼限界において帰無仮説（Ｃ３＝０）を却下するように実施され得、これらは、血流増加の完全な欠損を示し、従って、刺激に際して任意の生理的な性的応答を示す。Ｃ２は、実験中、造影剤の管外遊出率に対して相対的であり、そして薬剤の管外遊出が起きた場合には、それを補正するために使用され得る。造影剤ＭＳ−３２５は、代表的な刺激期間にわたって安定な血液濃度を有し、従って、本発明の実施形態において好ましい造影剤である。
【手続補正書】
【提出日】平成19年11月21日(2007.11.21)
【手続補正１】
【補正対象書類名】明細書
【補正対象項目名】特許請求の範囲
【補正方法】変更
【補正の内容】
【特許請求の範囲】
【請求項１】
機械的振動及び／あるいは音波、特に超音波を用いた腫瘍の治療のための装置であって、体液の治療のための振動発生器に接続された体外流れ線を含み、さらに、腫瘍の種類に応じてそれぞれの腫瘍細胞の共振周波数のすぐ上及び／あるいはすぐ下の周波数帯域を選択可能であり、治療の間に体液を冷却するための冷却装置を含む装置。
【請求項２】
振動プレートに接続された流れ線を含むことを特徴とする、請求項１に記載の装置。
【請求項３】
弾力性のある管を備える流れ線を含むことを特徴とする、請求項1又は２に記載の装置。
【請求項４】
追加の加熱装置を備えることを特徴とする、請求項１乃至３のいずれかに記載の装置。
【請求項５】
２５℃から４２℃の間の治療温度が計画されることを特徴とする、請求項１乃至４のいずれかに記載の装置。
【手続補正２】
【補正対象書類名】明細書
【補正対象項目名】０００７
【補正方法】変更
【補正の内容】
【０００７】
本発明によれば、マイクロサージカル器具を振動発生器に接続して使用する方法が用いられる。マイクロサージカル器具は、器官の核又は体腔に挿入でき、本発明による目標とされた治療を行うことができる。振動発生器は、胃、腸、又は肝内視鏡のような既知のマイクロサージカル器具に取付けることができる。振動発生器は、どんなタイプの内視器具に取付けられてもよく、特に予め選択された細胞の治療に関して、本発明の目的を達成する。
【手続補正書】
【提出日】平成19年11月22日(2007.11.22)
【手続補正１】
【補正対象書類名】明細書
【補正対象項目名】特許請求の範囲
【補正方法】変更
【補正の内容】
【特許請求の範囲】
【請求項１】  複数の脊椎神経につき相対的な神経筋応答開始値を求める方法であって、
（ａ）患者の馬尾の一部を消極し、
（ｂ）馬尾の消極に対する神経筋応答が複数の脊椎神経の各々で検出される電流強度レベルを測定するステップよりなる、複数の脊椎神経につき相対的な神経筋応答開始値を求める方法。
【手続補正書】
【提出日】平成19年11月29日(2007.11.29)
【手続補正１】
【補正対象書類名】明細書
【補正対象項目名】０００２
【補正方法】変更
【補正の内容】
【０００２】
【発明の背景】
各種タイプの医療用機器が、診断または治療のため患者の皮膚に穴を開ける目的で針部材を採用している。このような装置の一つに皮下注射器がある。針部材を患者から抜いた後の有針医療用機器の取り扱いは、針部材が不慮に刺さることにより多様な病原体、最も顕著なものとしてヒト免疫不全ウイルス（ＨＩＶ）等が未感染の医療従事者へ伝染してしまう原因になり得る。この理由から、使用後に汚染された針部材が収納される薬物注入用または体液採取用の装置を提供することが望まれている。
この出願の発明に関連する先行技術文献情報としては、以下のものがある（国際出願日以降国際段階で引用された文献及び他国に国内移行した際に引用された文献を含む）。
【特許文献１】
米国特許第６，１６２，１９７号明細書
【特許文献２】
米国特許第６，０１７，３２９号明細書
【特許文献３】
米国特許第６，１９０，３６１号明細書
【特許文献４】
米国特許第５，０４５，０６６号明細書
【手続補正書】
【提出日】平成19年11月19日(2007.11.19)
【手続補正１】
【補正対象書類名】明細書
【補正対象項目名】特許請求の範囲
【補正方法】変更
【補正の内容】
【特許請求の範囲】
【請求項１】 カテーテルであって、
実質的に長尺の構造であるとともに、基端部（１２）と先端部（１４）と外装とを有し、さらに、これら基端部および先端部（１２、１４）の間にわたって延在する、中心軸を有する主管腔（２２）を規定し、この主管腔（２２）が、少なくとも前記基端部および前記先端部（１２、１４）において前記長尺構造の外部に連通しているような、長尺構造；
を具備し、
前記主管腔が連続的なチューブ状の内側表面を有すること、前記カテーテルが連続的な外側表面を有すること、および前記カテーテルが楕円形または長円形横断面形状から選択される断面を有する単一の補強ワイヤ（２８）を有し、該ワイヤが、前記実質的に長尺の構造の少なくとも１つのセグメント（２０）に沿って前記主管腔（２２）を囲んでおり、該ワイヤが前記セグメント（２０）に沿って前記主管腔（２２）の回りに螺旋状に巻回されていることを特徴とし、
前記の実質的に長尺の構造が、前記主管腔（２２）を規定する連続的なチューブ状の内側表面を有する内側層（２６）；および該内側層（２６）を囲んでいる外側層（２４）を具備するとともに、補強ワイヤ（２８）が前記内側層と前記外側層（２６、２４）との間に配置されている連続的な外側表面を有し、
さらに、カテーテル（１０）の先端部（１４）が１．５０ｍｍ以下という臨界曲げ直径制限に適合するとともに、Tinius-Olsen社による硬度テスターによって２０°〜３０°という曲げ条件で測定したときに約７．３°／ｃｍ−ｇ以上の偏向により示される側方硬度を示す
ことを特徴とするカテーテル（１０）。
【請求項２】 請求項１記載のカテーテルにおいて、
前記ワイヤ（２８、３０）は、厚さ（ｔ）が０．０１ｍｍ〜０．１ｍｍとされ、かつ、幅（Ｗ）が０．０３８ｍｍ〜０．３８ｍｍとされていることを特徴とするカテーテル。
【請求項３】 請求項１記載のカテーテルにおいて、
前記螺旋状巻回のピッチが、場所によって相違するものとされていることを特徴とするカテーテル。
【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】
受入チャンバと選択的爆発用の分離した複数の発射装薬を含む銃身とを含み、それにより、前記発射装薬の爆発によって発生したガスが前記受入チャンバ内に拡がる、パワーツール用ドライバであって、前記受入チャンバ内に配置されていて該受入チャンバ内の圧力の変化に動的に応答する反応閉鎖部と、該反応閉鎖部と関連していて該反応閉鎖部の動的応答からのエネルギーをパワーツールに伝達する連動装置とを備える、パワーツール用ドライバ。
【請求項２】
前記分離した発射装薬は１又は２以上のカートリッジ内に収容されていて、該カートリッジは、筒状シェルと、該筒状シェル内に軸線方向に配置されていて該筒状シェルのボアとシール係合する複数のセパレータ発射体とを含む、請求項１のパワーツール用ドライバ。
【請求項３】
前記爆発は、個別の発火信号によってトリガされる雷管と関連する個々の発射装薬によって電子的に制御される、請求項１のパワーツール用ドライバ。
【請求項４】
前記反応閉鎖部は、前記受入チャンバとシール係合されたダイアフラムまたはピストンである、請求項１のパワーツール用ドライバ。
【請求項５】
前記連動手段は、プランジャ、ロッカー、流体ポンプ及びトランスデューサから成る群から選択される、請求項１のパワーツール用ドライバ。
【請求項６】
前記発射装薬は、硬質のケース内に収容される、請求項１のパワーツール用ドライバ。
【請求項７】
銃身部のクラスターを含むカートリッジを備えており、各銃身部が、個別のスペーサ発射体によって分離されて間隔が開けられた複数の発射装薬を含む、請求項１のパワーツール用ドライバ。
【請求項８】
前記発射装薬の爆発は、前記反応閉鎖部を収縮位置から拡張位置まで移動し、該パワーツール用ドライバは、前記反応閉鎖部を前記拡張位置から前記収縮位置まで動かすバネを備える、請求項１のパワーツール用ドライバ。
【請求項９】
前記パワーツール用ドライバは制御機構を含んでおり、該制御機構は、各発射装薬と関連する雷管と電子的に結合されており、該制御機構は雷管を選択的に起動し、それにより、前記発射装薬を選択的に爆発させる、請求項１のパワーツール用ドライバ。
【請求項１０】
前記制御機構は、多数の銃身から同時に発射装薬を発射させる、請求項１のパワーツール用ドライバ。
【請求項１１】
前記発射装薬はスペーサ発射体によって間隔を置かれており、前記スペーサ発射体は、先行する発射装薬の発火に応答して前記銃身との間にシールを形成するのに適した相補的くさび形状の部分を含む、請求項１のパワーツール用ドライバ。
【請求項１２】
前記受入チャンバは、前記発射装薬の爆発からの残がいを受け取り、また、該受入チャンバは、収集容器及びゲート弁を備え、それにより、該受入チャンバ内の残がいが前記ゲート弁を通って前記収集容器に入る、請求項１のパワーツール用ドライバ。
【手続補正書】
【提出日】平成19年11月21日(2007.11.21)
【手続補正１】
【補正対象書類名】明細書
【補正対象項目名】特許請求の範囲
【補正方法】変更
【補正の内容】
【特許請求の範囲】
【請求項１】  水性液体（Ｉ）中に存在する負電荷を有する物質を除去する方法であって、当該方法が、
（ｉ）上記液体を、正荷電構造（アニオン交換体）及び疎水性構造を含む複数のリガンドを担持するマトリックスと、リガンドと上記物質とが結合する条件下で、接触させる段階、及び
（ｉｉ）上記マトリックスから上記物質を脱着させる段階
を含み、
（Ｉ）上記各リガンドがスペーサーを含めて次式で表され、
−−ＳＰ−−−［Ａｒ−Ｒ1−Ｎ+（Ｒ2Ｒ3Ｒ4）］
式中、
（Ａ）［Ａｒ−Ｒ1−Ｎ+（Ｒ2Ｒ3Ｒ4）］はリガンドを表し、
ａ）Ａｒは芳香族環であり、
ｂ）Ｒ1は［（Ｌ）nＲ’1］mであって、
・ｎ及びｍは０又は１から選択される整数であり、
・Ｌはアミノ窒素、エーテル酸素又はチオエーテル硫黄であり、
・Ｒ’1は二価リンカー基であって、１）直鎖、分枝鎖又は環式炭化水素基、及び２）−Ｃ（＝ＮＨ）−から選択され、
ｃ）Ｒ2-4は水素及び低級アルキルから選択され、
（Ｂ）ＳＰは、Ａｒ−Ｒ1−Ｎ+（Ｒ2Ｒ3Ｒ4）と直接結合した炭素、窒素、硫黄又は酸素を与えるスペーサーであり、
（Ｃ）−−−は、スペーサーがＡｒ−Ｒ1−Ｎ+（Ｒ2Ｒ3Ｒ4）の水素を置換していることを表し、
（Ｄ）−−は、マトリックスに結合していることを表し、
（ＩＩ）段階（ｉｉ）の脱着が、上記物質がセリンプロテアーゼである場合、特にＲ’が−Ｃ（＝ＮＨ）−である場合、アニオン交換条件下で実施される、方法。
【請求項２】  請求項１記載の方法であって、前記アニオン交換体（１）が、
（ａ）水性対照液体（ＩＩ）中の前記物質に、０．３Ｍ  ＮａＣｌに相当するイオン強度のアニオン交換条件下で結合することができるとともに、
（ｂ）前記物質に対するｐＨ範囲２〜１２における最大破過容量が、Ｑ−Ｓｅｐｈａｒｏｓｅ  Ｆａｓｔ  Ｆｌｏｗ（Ａｍｅｒｓｈａｍ  Ｐｈａｒｍａｃｉａ  Ｂｉｏｔｈｅｃｈ社製（スウェーデン国ウプサラ））での前記物質のｐＨ範囲２〜１２における最大破過容量の２００％以上、例えば３００％以上又は５００％以上又は１０００％以上であり、
上記アニオン交換体が、同じ条件下で決定して、同じリガンド密度及び破過容量を有する、方法。
【請求項３】  ｍ＝１であり、Ｒ’が直鎖、分枝鎖又は環式炭化水素基から選択される二価リンカー基であって、上記炭化水素基は置換されていてもよいし、及び／又はエーテル酸素、チオエーテル硫黄又はアミノ窒素が介在していてもよい、請求項１又は請求項２記載の方法。
【請求項４】  前記マトリックスの複数のリガンドが１２以下のｐＫａを有し、及び／又は第１級又は第２級窒素であることを特徴とする、請求項１乃至請求項３のいずれか１項記載の方法。
【請求項５】  Ａｒ、ＳＰ、Ｒ’1及びＲ2-4の少なくとも１つが、−Ｎ+（Ｒ2Ｒ3Ｒ4）の正荷電窒素から１〜７原子の距離に、１又は２以上の電子供与体−受容体原子又は基を含むことを特徴とする、請求項１乃至請求項４のいずれか１項記載の方法であって、好ましくは当該供与−ドナー原子又は基が水素結合に関与するが、ただし、Ａｒにおけるこの原子又は基が芳香族構造のｓｐ2−炭素ではない、方法。
【請求項６】  ｎ＝０、ｍ＝１、Ｒ’＝−Ｃ（＝ＮＨ）−、Ｒ2-4＝水素、Ａｒ＝ｐ−Ｃ6Ｈ4−、ＳＰが第２級アミノ窒素、例えば−ＮＨ−を介してＡｒに結合されていることを特徴とする、請求項１又は請求項２記載の方法。
【請求項７】  吸着／結合段階（ｉ）中のイオン強度が、０．２５Ｍ  ＮａＣｌ水溶液のイオン強度より大きいか又は同等であることを特徴とする、請求項１乃至請求項６のいずれか１項記載の方法。
【請求項８】  前記アニオン交換体の、又は前記アニオン交換体中に存在するアニオン交換体リガンドの、水性液体（Ｉ）のｐＨが、ｐＫａ＋２以下である、例えばｐＫａ＋１以下であることを特徴とする、請求項１乃至請求項７のいずれか１項記載の方法。
【請求項９】  前記物質の負電荷を減少させるため、水性液体（ＩＩ）のｐＨが、水性液体（Ｉ）のｐＨと異なることを特徴とする、請求項１乃至請求項８のいずれか１項記載の方法。
【請求項１０】  水性液体（ＩＩ）の極性が、水性液体（Ｉ）の極性よりも低いことを特徴とする、請求項１乃至請求項９のいずれか１項記載の方法。